(57)【特許請求の範囲】
【請求項１】
貫通孔が設けられ、梱包対象物に当接する当接部と、
前記当接部の前記貫通孔を貫通する貫通部と、
前記当接部との間に１つ以上の折り曲げ部を隔てて前記当接部と一体に形成され、前記
当接部の前記裏面側に位置するベース部と、を備え、
前記貫通部は、前記当接部から前記梱包対象物側に突出する突出部分と、前記当接部の
うち前記梱包対象物に当接する当接面とは反対側の裏面から前記当接部を支持する支持領
域を含む支持部分と、を有する、
ことを特徴とする梱包具。
【請求項２】
前記貫通部は、前記ベース部の一部が切り抜かれ立ち上げられることにより形成されて
いる、
ことを特徴とする請求項１記載の梱包具。
【請求項３】
貫通孔が設けられ、梱包対象物に当接する当接部と、
前記当接部の前記貫通孔を貫通する貫通部と、を備え、
前記貫通部は、前記当接部から前記梱包対象物側に突出する突出部分と、前記当接部の
うち前記梱包対象物に当接する当接面とは反対側の裏面から前記当接部を支持する支持領
域を含む支持部分と、を有し、
前記突出部分は、前記当接部よりも前記梱包対象物側へ突出した部分で折り返され、前
記当接部よりも前記梱包対象物側へ突出した部分のうちの前記折り返された部分よりも先
端側の部分が、前記折り返された部分よりも基端側の部分と、前記当接部との間に介在す
るように折り返されている、
ことを特徴とする梱包具。
【請求項４】
貫通孔が設けられ、梱包対象物に当接する当接部と、
前記当接部の前記貫通孔を貫通する貫通部と、を備え、
前記貫通部は、前記当接部から前記梱包対象物側に突出する突出部分と、前記当接部の
うち前記梱包対象物に当接する当接面とは反対側の裏面から前記当接部を支持する支持領
域を含む支持部分と、を有し、
前記突出部分は、前記当接部よりも前記梱包対象物側へ突出した部分で折り返され、前
記当接部よりも前記梱包対象物側へ突出した部分のうちの前記折り返された部分よりも基
端側の部分が、前記折り返された部分よりも先端側の部分と、前記当接部との間に介在す
るように折り返されている、
ことを特徴とする梱包具。
【請求項５】
前記当接部及び前記貫通部は、段目を有するボール紙から形成され、
前記段目は、前記貫通孔に対し前記貫通部が貫通する貫通方向に平行に延びる、
ことを特徴とする請求項１乃至４のいずれか１項記載の梱包具。
【請求項６】
前記突出部分は、前記当接部よりも前記梱包対象物側へ突出した部分で折り返されてい
ることを特徴とする請求項１記載の梱包具。
【請求項７】
前記貫通部は、前記突出部分が前記折り返された部分よりも先端側の部分が、前記当接
部を再び貫通することを特徴とする請求項３又は４記載の梱包具。
【請求項８】
互いに同一の又は互いに異なる前記貫通孔を貫通する２つの前記貫通部を備え、
前記２つの前記貫通部は、前記突出部分が互いに接触するように前記当接部から突出す
る、
ことを特徴とする請求項１乃至７のいずれか１項記載の梱包具。
【請求項９】
貫通孔が設けられ、梱包対象物に当接する当接部と、
前記当接部の前記貫通孔を貫通する貫通部と、
互いに同一の又は互いに異なる前記貫通孔を貫通する２つの前記貫通部と、を備え、
前記貫通部は、前記当接部から前記梱包対象物側に突出する突出部分と、前記当接部の
うち前記梱包対象物に当接する当接面とは反対側の裏面から前記当接部を支持する支持領
域を含む支持部分と、を有し、
前記２つの前記貫通部は、前記突出部分が互いに接触するように前記当接部から突出し
、当該２つの貫通部の２つの支持部分が、基端側から先端側にかけて互いの側へ傾くよう
に設けられている、
ことを特徴とする梱包具。
【請求項１０】
前記当接部の前記当接面は、互いに交差する２つの面である第１の当接面及び第２の当
接面を含み、
前記当接部の前記貫通孔は、前記第１の当接面と前記第２の当接面との境界部分に重ならないように設けられている、
ことを特徴とする請求項１から８のいずれか１項記載の梱包具。
【請求項１１】
請求項１乃至１０のいずれか１項記載の梱包具と、
前記梱包具を収容する筐体と、
を備えることを特徴とする梱包箱。
【発明の詳細な説明】
【技術分野】
【０００１】
本発明は、梱包対象物の梱包に用いられる梱包具、及びこの梱包具を備える梱包箱に関する。
【背景技術】
【０００２】
従来、店頭に並ぶ製品は、その製品自体の保護や消費者への訴求を目的に梱包されている。製品の梱包形態は、例えば、内部を視認可能なウインドウが無い（つまり内部を視認不可能な）ボックス型、ブリスター、ウインドウが有るボックス型（例えば特許文献１参照）などが挙げられる。
【０００３】
ウインドウが無いボックス型は、製品を開封するまで視認させる必要がないため、製品自体を緩衝袋で覆うなど、比較的、製品保護の対策が容易である。
ブリスターは、製品に合わせて型品が作成されるため、製品の姿勢が固定されやすい。
【０００４】
ウインドウが有るボックス型は、梱包されている製品を視認させる必要があるため、製品自体を緩衝袋で覆うなどの対策をとることができない。また、梱包箱の内部が視認されるため、緩衝用の構造のスペースが限られる。
【先行技術文献】
【特許文献】
【０００５】
【特許文献１】特開２００１−１９２０６７号公報
【発明の概要】
【発明が解決しようとする課題】
【０００６】
例えば電子文具などの製品を一例とする梱包対象物を梱包する際には、梱包対象物の形状に合わせて例えばボール紙を用いた梱包具を作成することが多い。この梱包具は、例えば梱包箱に収容される。
【０００７】
梱包具は、それ自体の強度がある程度必要となる。とはいえ、梱包具の強度を必要以上の過剰な強度にすることは梱包サイズの肥大化及びコスト増を招く。ウインドウが有るボックス型に限られないが、上記のウインドウが有るボックス型は、梱包具のスペースが限られるため、特に簡素な構成で、所望の強度を確保することが求められる。
【０００８】
本発明の目的は、梱包対象物に当接する当接部を有する梱包具において、梱包対象物から当接部に加えられる衝撃を軽減することができる梱包具及び梱包箱を提供することである。
【課題を解決するための手段】
【０００９】
１つの態様では、梱包具は、貫通孔が設けられ、梱包対象物に当接する当接部と、前記当接部の前記貫通孔を貫通する貫通部と、前記当接部との間に１つ以上の折り曲げ部を隔てて前記当接部と一体に形成され、前記当接部の前記裏面側に位置するベース部と、を備え、前記貫通部は、前記当接部から前記梱包対象物側に突出する突出部分と、前記当接部のうち前記梱包対象物に当接する当接面とは反対側の裏面から前記当接部を支持する支持領域を含む支持部分と、を有する。
【００１０】
別の１つの態様では、梱包箱は、前記梱包具と、前記梱包具を収容する筐体と、を備える。
【発明の効果】
【００１１】
本発明によれば、梱包対象物に当接する当接部を有する梱包具において、梱包対象物から当接部に加えられる衝撃を軽減することができる。
【図面の簡単な説明】
【００１２】
【図１】本発明の一実施の形態に係る梱包具の貫通部等の主要部を示す側面図である。
【図２】本発明の一実施の形態に係る梱包具（梱包対象物が載置された状態）の貫通部等の主要部を示す側面図である。
【図３Ａ】本発明の一実施の形態に係る梱包具の組み立て方法を説明するための展開図である。
【図３Ｂ】本発明の一実施の形態に係る梱包具の組み立て方法を説明するための斜視図（その１）である。
【図３Ｃ】本発明の一実施の形態に係る梱包具の組み立て方法を説明するための斜視図（その２）である。
【図３Ｄ】本発明の一実施の形態に係る梱包具の組み立て方法を説明するための斜視図（その３）である。
【図３Ｅ】本発明の一実施の形態に係る梱包具の組み立て方法を説明するための斜視図（その４）である。
【図４】本発明の一実施の形態に係る梱包箱の筐体及び透明フィルムを示す斜視図である。
【図５】本発明の一実施の形態の第１変形例における貫通部を示す断面図である。
【図６】本発明の一実施の形態の第２変形例における貫通部を示す断面図である。
【図７】本発明の一実施の形態の第３変形例における貫通部を示す断面図である。
【図８】本発明の一実施の形態の第４変形例における貫通部を示す断面図である。
【図９】本発明の一実施の形態の第５変形例における貫通部を示す断面図である。
【図１０】本発明の一実施の形態の第６変形例における貫通部を示す断面図である。
【発明を実施するための形態】
【００１３】
以下、本発明の実施の形態に係る、梱包具及び梱包箱について、図面を参照しながら説明する。
図１は、本発明の一実施の形態に係る梱包具１の貫通部２１等の主要部を示す側面図である。
【００１４】
図２は、本実施の形態に係る梱包具１（梱包対象物１００が載置された状態）の貫通部２１等の主要部を示す側面図である。
図１及び図２に示すように、梱包具１は、当接部１０と、ベース部２０と、立ち上がり部３０，４０と、下方折り返し部５０と、を備える。梱包具１は、例えば１枚のボール紙から形成されている。なお、梱包具１は、ボール紙以外の紙や、パルプモールドや、プラスチックなどの他の材料から形成されていてもよい。また、梱包具１は、部品点数を増やさない観点では単一の部材から形成されていることが望ましいが、複数の部材から形成されていてもよい。
【００１５】
当接部１０は、図２に示すように当接部１０上に載置される梱包対象物１００に当接する。なお、梱包具１が図１に示す向きとは例えば反時計回りに９０度回転した状態では、当接部１０は、立てかけられる梱包対象物１００に当接することになる。このように、当接部１０には、梱包対象物１００が載置されるとは限られない。また、立ち上がり部３０，５０及び後述する立ち上がり部６１，６２は、上方に立ち上がる場合だけでなく、水平方向等の他の方向に沿って立ち上がるものでもあり得る。また、下方折り返し部５０及び後述する下方折り返し部７１，７２が折り返される向きも水平よりも下方に折り返される場合だけでなく、立ち上がりの向きとは反対の向きであれば水平方向等の他の方向に沿って折り返されるものでもあり得る。
【００１６】
当接部１０のうち梱包対象物１００に当接する当接面Ｓ１は、互いに交差する２つの面である、第１の当接面Ｒ１及び第２の当接面Ｒ２を含む。これら第１の当接面Ｒ１と第２の当接面Ｒ２との境界部分は、後述する図３Ａに示す折り曲げ部Ｆ６である。この折り曲げ部Ｆ６における折り曲げ角度は、梱包対象物１００の形状に合わせて適宜設定されればよい。また、折り曲げ部Ｆ６における折り曲げが省略されてもよい。なお、当接部１０には、後述する貫通部２１により貫通される貫通孔Ｈ１が設けられている。
【００１７】
ベース部２０は、当接部１０との間に、１つ以上の折り曲げ部の一例である図３Ａに示す折り曲げ部Ｆ４，Ｆ５を隔てて（つまり、立ち上がり部４０を隔てて）当接部１０と一体に形成されている。また、ベース部２０は、当接部１０の図１及び図２における下方、つまり、当接部１０の当接面Ｓ１とは反対の裏面Ｓ２側に位置する。
【００１８】
ベース部２０は、当接部１０の貫通孔Ｈ１を貫通する貫通部２１と、ベース部２０に段差を形成する段差形成部２２と、を有する。
貫通部２１は、当接部１０から梱包対象物１００側に突出する突出部分２１ａと、当接部１０を裏面Ｓ２から支持する支持領域２１ｃを含む支持部分２１ｂと、を有する。貫通部２１は、図３Ａに示すようにベース部２０の一部が切り抜かれ、折り曲げ部Ｆ８を谷折りされ、ベース部２０に対して略垂直に立ち上げられることにより形成されている。なお、梱包具１がボール紙から形成される場合、貫通部２１における段目は、貫通孔Ｈ１に対する貫通方向（図３Ａでは左右方向）に実質的に平行に延びることが望ましい。
【００１９】
貫通部２１は、基端側の固定端である折り曲げ部Ｆ８から先端側の自由端にかけて、幅（図１及び図２では紙面に垂直な方向における幅で、図３Ａでは上下方向における幅）が一箇所で狭くなっている。この幅が狭くなっている段差部分が支持部分２１ｂの支持領域２１ｃである。このように、折り曲げ部Ｆ８の幅Ｌ２（支持部分２１ｂの幅Ｌ１）は、この幅Ｌ２と平行な後述する折り曲げ部Ｆ９の幅Ｌ１（突出部分２１ａの幅Ｌ１）よりも大きい（Ｌ２＞Ｌ１）。
【００２０】
なお、貫通部２１は、当接部１０とは別体の部材として配置してもよい。また、当接部１０とベース部２０とが別体の場合には、貫通部２１をベース部２０に形成するとよいが、ベース部２０自体が省略される場合も含め、貫通部２１はベース部２０とも別体に形成されてもよい。
【００２１】
突出部分２１ａは、図３Ａに示す折り曲げ部Ｆ９を谷折りされることで、図１及び図２における下端（当接部１０の貫通孔Ｈ１の上端）において右側に折り曲げられている。折り曲げ部Ｆ９における突出部分２１ａの折り曲げ角度や折り曲げ向きは任意であるが、折り曲げ角度は９０度未満であることが望ましい。
【００２２】
図２に示すように、突出部分２１ａは、梱包対象物１００が載置された状態では、梱包対象物１００の質量によって当接部１０の当接面Ｓ１に沿うように図３Ａに示す折り曲げ部Ｆ９において略直角に折り曲げられる。なお、梱包対象物１００の載置前には、突出部分２１ａは、折り曲げ部Ｆ９で折り曲げられずに図１及び図２の鉛直上方に当接部１０から突出していてもよい。この場合、梱包対象物１００が当接部１０に載置されることで、梱包対象物１００の質量によって突出部分２１ａが折り曲げられることになる。また、突出部分２１ａは、支持部分２１ｂとの間でなす角度が１８０°よりも小さくなるように湾曲していてもよい。
【００２３】
段差形成部２２は、ベース部２０のうち図３Ａに示す折り曲げ部Ｆ２を直角に山折りし且つ折り曲げ部Ｆ３を直角に谷折りすることで形成されている。このように段差形成部２２を形成するのは、段差形成部２２の図１及び図２における左側のスペースに取扱説明書を一例とする付属品を配置するためである。
【００２４】
図１及び図２における左側の立ち上がり部３０は、ベース部２０の図１及び図２における左端である図３Ａに示す折り曲げ部Ｆ１を直角に谷折りされることで立ち上げられる。また、図１及び図２における右側の立ち上がり部４０は、ベース部２０の図１及び図２における右端である図３Ａに示す折り曲げ部Ｆ４を直角に谷折りされることで立ち上げられる。立ち上がり部４０の図１及び図２における上端である図３Ａに示す折り曲げ部Ｆ５も直角に谷折りされることで上述の当接部１０が形成される。このように、当接部１０とベース部２０とは、１つ以上の折り曲げ部の一例である２つの折り曲げ部Ｆ４，Ｆ５を隔てて設けられている。
【００２５】
下方折り返し部５０は、当接部１０の図１及び図２における左端である図３Ａに示す折り曲げ部Ｆ７を谷折りされることで図１及び図２における下方に折り返される。また、下方折り返し部５０は、外側の面（図１及び図２における左側の面）において、立ち上がり部３０の内側の面（図１及び図２における右側の面）に面接触する。
【００２６】
図３Ａ〜図３Ｅは、本実施の形態に係る梱包具１の組み立て方法を説明するための展開図（図３Ａ）及び斜視図（図３Ｂ〜図３Ｅ）である。なお、図３Ｂ〜図３Ｅでは、図３Ａに示す各部のうち一部が省略して図示されている。
【００２７】
図３Ａに示す折り曲げ部Ｆ１〜Ｆ２８のうち、上述の段差形成部２２を形成するための折り曲げ部Ｆ２、及び第１の当接面Ｒ１と第２の当接面Ｒ２との境界部分である折り曲げ部Ｆ６のみ山折りで、それ以外は全て谷折りである。また、折り曲げ部Ｆ１〜Ｆ２８のうち折り曲げ部Ｆ１〜Ｆ６，Ｆ８，Ｆ９，Ｆ２２〜Ｆ２５のみ切り込みが形成されている。この切り込みは、例えば貫通孔であるが、折り曲げる側の面のみに形成された凹部であってもよい。また、この切り込みは、折り曲げ部Ｆ１〜Ｆ２８において折り曲げやすくなるものであればよく、従って、梱包具１の材料によってその態様を適宜変更してよい。
【００２８】
当接部１０には、貫通部２１により貫通される上述の貫通孔Ｈ１のみならず、図３Ａに示す他の貫通孔Ｈ３，Ｈ６〜Ｈ１０も形成されている。
図３Ａに示すように、貫通孔Ｈ１は、第１の当接面Ｒ１と第２の当接面Ｒ２との境界部分である折り曲げ部Ｆ６の近傍に位置する。例えば、貫通孔Ｈ１は、貫通部２１の貫通方向（図１及び図２における上下方向）に直交する断面（つまり、図３Ａに示す形状の断面）の長手方向の長さＬ３よりも、第１の当接面Ｒ１と第２の当接面Ｒ２との境界部分である折り曲げ部Ｆ６との距離Ｌ４が短い（Ｌ４＜Ｌ３）位置に形成されていてよい。
【００２９】
貫通孔Ｈ３は、当接部１０と下方折り返し部５０との間の上述の折り曲げ部Ｆ７の中央に形成されている。貫通孔Ｈ３には、立ち上がり部３０の後述する挿入凸部３１が挿入される。貫通孔Ｈ６，Ｈ７には後述する梱包対象物保持部８１，８２の挿入凸部８１ａ，８２ａが挿入される。貫通孔Ｈ８〜Ｈ１０には後述する梱包対象物保持部８３の挿入凸部８３ａ，８３ｂ，８３ｃが挿入される。
【００３０】
ベース部２０には、付属品保持部２３，２４，２５が形成されている。これら付属品保持部２３〜２５は、折り曲げ部Ｆ１０〜Ｆ１２をそれぞれ直角に谷折りされることで立ち上がるように形成される。付属品保持部２３，２４，２５は、折り曲げ部Ｆ１０〜Ｆ１２が直径部分となる略半円形状を呈する。立ち上げられた付属品保持部２３〜２５に挟まれた領域には、例えば直方体の付属品が配置される。
【００３１】
立ち上がり部３０の中央よりやや左側（立ち上がった状態の図１及び図２ではやや上側）には、挿入凸部３１が形成されている。この挿入凸部３１は、折り曲げ部Ｆ１３において谷折りされ、当接部１０と下方折り返し部５０との間の折り曲げ部Ｆ７に形成された上述の貫通孔Ｈ３に挿入される。また、挿入凸部３１と隣接するように設けられた、立ち上がり部３０の貫通孔Ｈ２は、長軸部分で挿入凸部３１と隣接する半楕円形状を呈する。貫通孔Ｈ２は、挿入凸部３１が折り曲げ部Ｆ１３において谷折りされることで生じる空間とともに、梱包具１の人の手による持ち手部分として機能する。
【００３２】
ベース部２０の図３Ａにおける上端側と下端側にはベース部２０から突出するように、互いに対向する立ち上がり部６１，６２が設けられている。これらの立ち上がり部６１，６２は、折り曲げ部Ｆ１４，Ｆ１５において直角に谷折りされることで立ち上げられる。なお、折り曲げ部Ｆ１４，Ｆ１５には、後述する下方折り返し部７１，７２の挿入凸部７１ａ，７２ａが挿入される貫通孔Ｈ４，Ｈ５が形成されている。
【００３３】
立ち上がり部６１，６２は、例えば台形状を呈する。なお、図１において当接部１０の第２の当接面Ｒ２が水平に対し傾斜しているため、立ち上がり部６１，６２では、当接面Ｒ２の傾斜に合わせて、折り曲げ部Ｆ１４，Ｆ１５に対向する辺が台形状の傾斜辺になっている。
【００３４】
当接部１０の図３Ａにおける上端側と下端側には当接部１０から突出するように、互いに対向する下方折り返し部７１，７２が設けられている。これらの下方折り返し部７１，７２は、折り曲げ部Ｆ１６，Ｆ１７において直角に谷折りされることで下方に折り返される。また、下方折り返し部７１，７２は、内側の面（下方折り返し部７１，７２が互いに対向する面）において、立ち上がり部６１，６２の外側の面に面接触する。
【００３５】
下方折り返し部７１，７２は、例えば台形状を呈する。なお、図１において当接部１０の第２の当接面Ｒ２が水平に対し傾斜しているため、下方折り返し部７１，７２は、当接面Ｒ２の傾斜に合わせて、折り曲げ部Ｆ１６，Ｆ１７が台形状の傾斜辺になっている。下方折り返し部７１，７２には、挿入凸部７１ａ，７２ａが形成されている。これらの挿入凸部７１ａ，７２ａは、折り曲げ部Ｆ１８，Ｆ１９を直角に谷折りされた状態で貫通孔Ｈ４，Ｈ５に挿入される。これらの貫通孔Ｈ４，Ｈ５は、上述のように、立ち上がり部６１，６２を立ち上がらせるための折り曲げ部Ｆ１４，Ｆ１５に形成されている。
【００３６】
下方折り返し部５０の図３Ａにおける上端側と下端側には、互いに対向する梱包対象物保持部８１，８２が形成されている。これらの梱包対象物保持部８１，８２は、折り曲げ部Ｆ２０，Ｆ２１と折り曲げ部Ｆ２２，Ｆ２３との２回、直角に谷折りされる。
【００３７】
梱包対象物保持部８１，８２には、挿入凸部８１ａ，８２ａが形成されている。これらの挿入凸部８１ａ，８２ａは、当接部１０に形成された上述の貫通孔Ｈ６，Ｈ７に挿入される。これにより、梱包対象物保持部８１，８２は、図３Ｃ〜図３Ｅに示すようにブロック状に形成され、図２に示す梱包対象物１００を挟み込むように保持する。なお、図３Ａに示すように、梱包対象物保持部８１は、梱包対象物保持部８２よりも各面が小さい。
【００３８】
当接部１０の第１の当接面Ｒ１側の図３Ａにおける下端には、当接部１０から突出するように梱包対象物保持部８３が形成されている。この梱包対象物保持部８３は、折り曲げ部Ｆ２４において直角に谷折りされることで立ち上げられる。また、梱包対象物保持部８３は、折り曲げ部Ｆ２５において直角に谷折りされる。
【００３９】
梱包対象物保持部８３には、３つの挿入凸部８３ａ，８３ｂ，８３ｃが形成されている。これらの挿入凸部８３ａ，８３ｂ，８３ｃは、当接部１０に形成された上述の貫通孔Ｈ８〜Ｈ１０に挿入される。これにより、梱包対象物保持部８３は、図３Ｃ〜図３Ｅに示すように直方体のブロック状に形成され、図２に示す梱包対象物１００の１つの面に接触可能に梱包対象物１００を保持する。
【００４０】
上述の梱包具１は、図４に示す筐体２に収容される。なお、筐体２は、窓部として機能する開口部２ａを有する。梱包具１と筐体２とを備えるのが本実施の形態に係る梱包箱である。なお、筐体２には、透明フィルム３も収容される。この透明フィルム３は、筐体２の窓部２ａに位置する面を含む３つの面からなる略逆Ｕ字状を呈する。なお、透明フィルム３は、梱包具１と筐体２との間に配置される。
【００４１】
以上説明した本実施の形態では、梱包対象物１００に当接する当接部１０には、貫通孔Ｈ１が設けられる。貫通部２１は、当接部１０の貫通孔Ｈ１を貫通する。また、貫通部２１は、当接部１０から梱包対象物１００側に突出する突出部分２１ａと、当接部１０のうち梱包対象物１００に当接する当接面Ｓ１とは反対側の裏面Ｓ２から当接部１０を支持する支持領域２１ｃを含む支持部分２１ｂと、を有する。貫通部２１の突出部分２１ａは、梱包対象物１００が当接部１０に載置された際、梱包対象物１００に接触するように設けられている。
【００４２】
貫通部２１は、図３Ａに示す折り曲げ部Ｆ８において、ベース部２０に対して略垂直に立ち上げられることにより形成され、当接部１０の貫通孔Ｈ１を貫通し、突出部分２１ａが、当接部１０に対し梱包対象物１００の載置される側へ突出している。また、当接部１０に梱包対象物１００が載置された際には、支持部分２１ｂの支持領域２１ｃが当接部１０の裏面Ｓ２に当接し、当接部１０は支持部分２１ｂによって裏面Ｓ２から支持される。貫通孔Ｈ１から突出した突出部分２１ａは、梱包対象物１００が載置された際には、折り曲げ部Ｆ８における貫通部２１の折り曲げ向きと同じ向き（図１における時計回りの向き）に、折り曲げ部Ｆ９に沿ってさらに折り曲げられる。このとき、貫通部２１自体（貫通部２１の材料）の弾性によって、折り曲げ部Ｆ９を含む部分を支点とした弾性反発力が、折り曲げ部Ｆ８における貫通部２１の折り曲げ向きとは逆の向き（図１における反時計回りの向き）に生じ、この弾性反発力によって、梱包対象物１００から当接部１０や梱包具１に加えられる負荷や衝撃が軽減される。これと同時に、貫通部２１の支持部分２１ｂが当接部１０を裏面Ｓ２から支持することにより、梱包対象物１００の重みによる当接部１０の撓みが抑制される。なお、鉛直方向（図２の上下方向）に沿って平面視したときに、貫通孔Ｈ１及び折り曲げ部Ｆ８の形成位置が、当接部１０に載置された梱包対象物１００の重心の位置と一致している場合、梱包対象物１００の重みによる当接部１０の撓みが抑制される効果が特に高いと言えるが、必ずしも一致する必要はなく、平面視したときにこれらの位置が互いに近ければ、撓み抑制の効果は比較的高いと言える。また、当接部１０の貫通孔Ｈ１は、第１の当接面Ｒ１と第２の当接面Ｒ２との境界部分に重ならないように設けられることが好ましいが、重なるように設けられていてもよい。これらが重ならないように、かつ、当接部１０の裏面Ｓ２に対して支持部分２１ｂが直交するように配置した場合は、支持部分２１ｂの支持領域２１ｃと当接部１０の裏面Ｓ２との接触面積が最も大きくなるので、支持部分２１ｂに対する負荷を分散することができ、ひいては、貫通部２１の支持部分２１ｂを長持ちさせることができる。
【００４３】
また、本実施の形態では、ベース部２０は、当接部１０との間に１つ以上の折り曲げ部Ｆ４，Ｆ５を隔てて当接部１０と一体に形成され、当接部１０の裏面Ｓ２側に位置する。また、貫通部２１は、ベース部１０の一部が切り抜かれ立ち上げられることにより形成されている。このように、当接部１０と、貫通部２１を有するベース部２０とを一体に形成することで、部品点数の増加を防ぐことができるため、梱包具１及び梱包箱をより一層簡素な構成にすることができる。
【００４４】
また、本実施の形態では、当接部１０及びベース部２０は、段目を有するボール紙から形成され、貫通部２１における段目は、貫通孔Ｈ１に対する貫通方向に実質的に平行に延びる。これにより、段目が貫通孔Ｈ１に対する貫通方向に実質的に平行でない角度で交差して延びる場合と比較して、貫通部２１が折り曲げたときに生じる弾性反発力は大きくなる。従って、梱包対象物１００から当接部１０や梱包具１に加えられる負荷や衝撃がより一層軽減される。
【００４５】
また、本実施の形態では、当接部１０の当接面Ｓ１は、互いに交差する２つの面である第１の当接面Ｒ１及び第２の当接面Ｒ２を含み、当接部１０の貫通孔Ｈ１は、貫通部２０の貫通方向に直交する断面の長手方向の長さＬ３よりも、第１の当接面Ｒ１と第２の当接面Ｒ２との境界部分（折り曲げ部Ｆ６）との距離Ｌ４が短い（Ｌ４＜Ｌ３）。そのため、梱包対象物１００の質量に起因する応力が集中しやすい第１の当接面Ｒ１と第２の当接面Ｒ２との境界部分（折り曲げ部Ｆ６）の近傍又は当該境界部分において、貫通部２１の支持部分２１ｂが当接部１０を裏面Ｓから支持することで、梱包対象物１００の重みによる当接部１０の撓みが抑制される。
【００４６】
図５は、本実施の形態の第１変形例における貫通部２１を示す断面図である。
本第１変形例では、貫通部２１は、突出部分２１ａのうちの、折り曲げ部Ｆ９よりも先端側の部分、特に、当接部１０よりも梱包対象物１００の載置側へ突出した部分において、少なくとも１箇所で、貫通部２１の貫通方向に沿って折り返される。また、貫通部２１は、突出部分２１ａの上記折り返された部分よりも先端側において、当接部１０を再び貫通する。それ以外の構成については、上述の実施の形態と同様であるので、以下では適宜説明を省略する。
【００４７】
なお、突出部分２１ａの折り曲げ部Ｆ２９を挟んだ両側（基端側の第１部分２１ｄ及び先端側の第２部分２１ｅ）は、図５では互いに面接触するように図示しているが、互いに間隔を隔てて位置するように折り返されていてもよい。また、当接部１０に形成された貫通孔Ｈ１−１は、貫通部２１により２回貫通されるため、図１、図２、及び図３Ａに示す貫通孔Ｈ１よりも図５における左右方向の幅が大きく形成されている。なお、貫通部２１は、突出部分２１ａの折り返し前後で互いに異なる２つの貫通孔を貫通してもよい。
【００４８】
貫通部２１は、図３Ａに示す折り曲げ部Ｆ８において、ベース部２０に対して略垂直に立ち上げられることにより形成され、当接部１０の貫通孔Ｈ１−１を貫通し、突出部分２１ａが、当接部１０に対し梱包対象物１００の載置される側へ突出している。貫通孔Ｈ１−１から突出した突出部分２１ａは、梱包対象物１００が載置された際には、折り曲げ部Ｆ８における貫通部２１の折り曲げ向きと同じ向き（図５における時計回りの向き）に、折り曲げ部Ｆ９に沿ってさらに折り曲げられる。突出部分２１ａは、折り曲げ部Ｆ２９において、折り曲げ部Ｆ９における貫通部２１の折り曲げ向きと同じ向き（図５における時計回り）に折り返されている。貫通部２１は、折り曲げ部Ｆ２９よりも先端側の第２部分２１ｅにおいて、貫通孔Ｈ１−１を再び貫通する。なお、当接部１０に載置された梱包対象物１００を当接部１０から取り出した状態では、貫通部２１自体の弾性や塑性変形によって、突出部分２１ａと当接面Ｓ１の法線とがなす角が、例えば、θ１（＞０°）で安定している。
【００４９】
以上説明した本第１変形例では、上述の実施の形態と同様、貫通部２１自体（貫通部２１の材料）の弾性によって、折り曲げ部Ｆ９を含む部分を支点とした弾性反発力が、折り曲げ部Ｆ８における貫通部２１の折り曲げ向きとは逆の向き（図５における反時計回りの向き）に生じる。加えて、本第１変形例では、貫通部２１が貫通孔Ｈ１−１を２回貫通しているので、折り曲げ部Ｆ９を含む部分を支点とした弾性反発力も、上述の実施の形態に比べて増大している。また、貫通部２１のうちの貫通孔Ｈ１−１を貫通する各部分は、折り曲げ部Ｆ２９において互いにつながっているので、突出部分２１ａのうちの支持部分２１ｂと折り曲げ部Ｆ２９との間の部分である第１部分２１ｄが、突出部分２１ａのうちの折り曲げ部Ｆ２９よりも先端側の部分である第２部分２１ｅによって、図５における反時計回りの向きへ引き戻される引戻力が生じる。従って、図５における反時計回りの向きに、上述の実施の形態と同様の弾性反発力に加えて、この引戻力が加わることにより、梱包対象物１００から当接部１０や梱包具１に加えられる負荷や衝撃がより一層軽減される。これと同時に、貫通部２１の支持部分２１ｂが当接部１０を裏面Ｓ２から支持することにより、梱包対象物１００の重みによる当接部１０の撓みが抑制されることは、上述の実施の形態と同様である。
【００５０】
図６は、本実施の形態の第２変形例における貫通部２１を示す断面図である。
本第２変形例では、突出部分２１ａの折り曲げ部Ｆ３０における折り返しの向きが反対向きである点のみ図５に示す第１変形例と相違する。つまり、突出部分２１ａは、上記の折り曲げ部Ｆ３０において、折り曲げ部Ｆ９における貫通部２１の折り曲げ向きとは反対の向き（図６における反時計回り）に折り返されている。また、貫通部２１は、突出部分２１ａの上記折り返された部分よりも先端側の第２部分２１ｅにおいて、当接部１０を再び貫通する。なお、当接部１０に載置された梱包対象物１００を当接部１０から取り出した状態では、貫通部２１自体の弾性や塑性変形によって、突出部分２１ａと当接面Ｓ１の法線とがなす角が、例えば、θ２（＞０°）で安定している。
【００５１】
簡便のためここでの記載を省略するが、本第２変形例によっても、上述の第１変形例と同様の効果が得られる。
図７は、本実施の形態の第３変形例における貫通部２１を示す断面図である。
【００５２】
本第３変形例では、突出部分２１ａの折り曲げ部Ｆ３１において折り返された部分よりも先端側の第２部分２１ｅが、当接部１０を再び貫通しない点で第１変形例と相違する。なお、当接部１０に載置された梱包対象物１００を当接部１０から取り出した状態では、貫通部２１自体の弾性や塑性変形によって、突出部分２１ａと当接面Ｓ１の法線とがなす角が、例えば、θ３（＞０°）で安定している。
【００５３】
本第３変形例において、上述の第１変形例と同様に、突出部分２１ａの折り曲げ部Ｆ３１を挟んだ両側（基端側の第１部分２１ｄ及び先端側の第２部分２１ｅ）は、図７では互いに面接触するように図示しているが、互いに間隔を隔てて位置するように折り返されていてもよい。すなわち、突出部分２１ａのうちの折り曲げ部Ｆ３１よりも先端側の部分である第２部分２１ｅは、貫通部２１自体の弾性や塑性変形によって、突出部分２１ａのうちの支持部分２１ｂと折り曲げ部Ｆ３１との間の部分である第１部分２１ｄとのなす角が０°より大きい状態で安定するものであってもよい。
【００５４】
突出部分２１ａは、上記の折り曲げ部Ｆ３１において、折り曲げ部Ｆ９における貫通部２１の折り曲げ向きと同じ向き（図７における時計回り）に折り返されている。
以上説明した本第３変形例では、突出部分２１ａは、当接部１０から先端にかけての途中（折り曲げ部Ｆ３１）で折り返されている。本第３変形例においても、図７における反時計回りの向きに、上述の実施の形態と同様の弾性反発力により、梱包対象物１００から当接部１０や梱包具１に加えられる負荷や衝撃が軽減される。また、梱包対象物１００が当接部１０に載置された際には、突出部分２１ａのうちの上述の第２部分２１ｅは、梱包対象物１００と当接部１０の間に介在するが、貫通部２１自体の弾性や塑性変形によって、上述の第２部分２１ｅと第１部分２１ｄがなす角が０°より大きい状態で安定している場合は、突出部分２１ａが、梱包対象物１００と当接部１０の当接面Ｓ１の両方に対して、押圧力を与えつつ接することになる。この場合、図７における反時計回りの向きに、上述の実施の形態と同様の弾性反発力に加えて、この押圧力が加わることにより、梱包対象物１００から当接部１０や梱包具１に加えられる負荷や衝撃がより一層軽減される。
【００５５】
図８は、本実施の形態の第４変形例における貫通部２１を示す断面図である。
本第４変形例では、突出部分２１ａの折り曲げ部Ｆ３２における折り返しの向きが反対向きである点のみ図７に示す第３変形例と相違する。つまり、突出部分２１ａは、上記の折り曲げ部Ｆ３２において、折り曲げ部Ｆ９における貫通部２１の折り曲げ向きとは反対の向き（図８における反時計回り）に折り返されている。なお、当接部１０に載置された梱包対象物１００を当接部１０から取り出した状態では、貫通部２１自体の弾性や塑性変形によって、突出部分２１ａと当接面Ｓ１の法線とがなす角が、例えば、θ４（＞０°）で安定している。
【００５６】
本第４変形例において、上述の第３変形例と同様に、突出部分２１ａの折り曲げ部Ｆ３１を挟んだ両側（基端側の第１部分２１ｄ及び先端側の第２部分２１ｅ）は、図７では互いに面接触するように図示しているが、互いに間隔を隔てて位置するように折り返されていてもよい。すなわち、突出部分２１ａのうちの折り曲げ部Ｆ３２よりも先端側の部分である第２部分２１ｅは、貫通部２１自体の弾性や塑性変形によって、突出部分２１ａのうちの支持部分２１ｂと折り曲げ部Ｆ３２との間の部分である第１部分２１ｄとのなす角が０°より大きい状態で安定するものであってもよい。
【００５７】
本第４変形例においても、図８における反時計回りの向きに、上述の実施の形態と同様の弾性反発力により、梱包対象物１００から当接部１０や梱包具１に加えられる負荷や衝撃が軽減される。また、梱包対象物１００が当接部１０に載置された際には、突出部分２１ａのうちの上述の第２部分２１ｅは、梱包対象物１００と上述の第１部分２１ｄとの間に介在するが、貫通部２１自体の弾性や塑性変形によって、上述の第２部分２１ｅと第１部分２１ｄがなす角が０°より大きい状態で安定している場合は、突出部分２１ａが、梱包対象物１００のうちの当接部１０側の面に対して、押圧力を与えつつ接することになる。この場合、図８において折り曲げ部Ｆ３２を中心とした時計回りの向きに、上述の実施の形態と同様の弾性反発力に加えて、この押圧力が加わることにより、梱包対象物１００から当接部１０や梱包具１に加えられる負荷や衝撃がより一層軽減される。
【００５８】
図９は、本実施の形態の第５変形例における貫通部２１−１，２１−２を示す断面図である。
図９に示すように、本第５変形例では、貫通部２１−１，２１−２が２つ設けられ、これら２つの貫通部２１−１，２１−２の突出部分２１ａ−１，２１ａ−２が互いに接触するように当接部１０から突出する。図９の例では、突出部分２１ａ−１，２１ａ−２は、貫通孔Ｈ１−２において同一の向きに折り曲げられているため互いに面接触しているが、少なくとも梱包対象物１００が載置された状態において、一部が接触していればよい。つまり、突出部分２１ａ−１，２１ａ−２は、貫通孔Ｈ１−２において互いに逆の向きに折り曲げられていてもよい。また、当接部１０に梱包対象物１００が載置された際には、支持部分２１ｂ−１，２１ｂ−２の支持領域２１ｃ−１，２１ｃ−２が当接部１０の裏面Ｓ２に当接し、当接部１０は支持部分２１ｂ−１，２１ｂ−２によって裏面Ｓ２から支持される。
【００５９】
貫通部２１−１，２１−２は、互いに同一の貫通孔Ｈ１−２を貫通するが、互いに異なる貫通孔を貫通してもよい。なお、貫通孔Ｈ１−２は、２つの貫通部２１−１，２１−２により貫通されるため、図１、図２、及び図３Ａに示す貫通孔Ｈ１よりも図９における左右方向の幅が大きく形成されている。
【００６０】
貫通部２１−１，２１−２を２つ上述の実施の形態と同様に形成するためには、ベース部２０に、貫通部２１−１，２１−２を切り抜いて立ち上げるだけのスペースを確保する必要がある。例えば、図３Ａに示す例では、折り曲げ部Ｆ２，Ｆ３が上記スペースと緩衝するため、貫通部２１−１，２１−２の形成位置を図３Ａにおける左側にずらすなどの対応策をとることになる。
【００６１】
以上説明した本第５変形例では、２つの貫通部２１−１，２１−２は、突出部分２１ａ−１，２１ａ−２が互いに接触するように当接部１０から突出する。従って、本第５変形例では、２つの貫通部２１−１，２１−２が貫通孔Ｈ１−１を貫通しているので、折り曲げ部Ｆ９を含む部分を支点とした弾性反発力も、上述の実施の形態に比べて増大している。従って、図９における反時計回りの向きに、上述の実施の形態と同様の弾性反発力がより大きく作用することにより、梱包対象物１００から当接部１０や梱包具１に加えられる負荷や衝撃がより一層軽減される。また、２つの支持部分２１ｂ−１，２１ｂ−２が当接部１０を裏面Ｓから支持するため、上述した実施の形態や第１乃至第４変形例のように、単一の貫通部２１を用いる場合に比べて、梱包対象物１００の重みによる当接部１０の撓みがより一層抑制される。
【００６２】
図１０は、本実施の形態の第６変形例における貫通部２１−１，２１−２を示す断面図である。
本第６変形例では、２つの支持部分２１ｂ１，２１ｂ−２が、それぞれの先端側に設けられた折り曲げ部Ｆ９の近傍を除いた基端側の部分で、互いに離間している点のみ図９に示す第５変形例と相違する。つまり、２つの貫通部２１−１，２１−２は、２つの支持部分２１ｂ−１，２１ｂ−２が、基端側から先端側にかけて互いの側へ傾くように、ベース部２０から上方へ立ち上げられる。
【００６３】
以上説明した本第６変形例では、当接部１０に梱包対象物１００が載置された際に、２つの貫通部２１−１，２１−２の各折り曲げ部Ｆ９が互いに押圧しあう形になるため、貫通部２１−１，２１−２の位置が強固に固定されると同時に、当接部１０を支持する力を増大することができる。なお、本第６変形例においても、貫通部２１−１，２１−２は互いに異なる貫通孔を貫通してもよい。
【００６４】
以上、本発明の実施の形態を説明したが、本願発明は特許請求の範囲に記載された発明とその均等の範囲を含む。以下に、本願の出願当初の特許請求の範囲に記載された発明を付記する。
【００６５】
［付記１］
貫通孔が設けられ、梱包対象物に当接する当接部と、
前記当接部の前記貫通孔を貫通する貫通部と、を備え、
前記貫通部は、前記当接部から前記梱包対象物側に突出する突出部分と、前記当接部のうち前記梱包対象物に当接する当接面とは反対側の裏面から前記当接部を支持する支持領域を含む支持部分と、を有する、
ことを特徴とする梱包具。
【００６６】
［付記２］
前記当接部との間に１つ以上の折り曲げ部を隔てて前記当接部と一体に形成され、前記当接部の前記裏面側に位置するベース部を更に備え、
前記貫通部は、前記ベース部の一部が切り抜かれ立ち上げられることにより形成されている、
ことを特徴とする付記１記載の梱包具。
【００６７】
［付記３］
前記当接部は、段目を有するボール紙から形成され、
前記貫通部における前記段目は、前記貫通孔に対し前記貫通部が貫通する貫通方向に平行に延びる、
ことを特徴とする付記１又は２記載の梱包具。
【００６８】
［付記４］
前記突出部分は、前記当接部よりも前記梱包対象物側へ突出した部分で折り返されていることを特徴とする付記１乃至３のいずれか記載の梱包具。
【００６９】
［付記５］
前記貫通部は、前記突出部分が前記折り返された部分よりも先端側の部分が、前記当接部を再び貫通することを特徴とする付記４記載の梱包具。
【００７０】
［付記６］
前記突出部分は、前記当接部よりも前記梱包対象物側へ突出した部分のうちの前記折り返された部分よりも先端側の部分が、前記折り返された部分よりも基端側の部分と、前記当接部との間に介在するように折り返されていることを特徴とする付記４又は５記載の梱包具。
【００７１】
［付記７］
前記突出部分は、前記当接部よりも前記梱包対象物側へ突出した部分のうちの前記折り返された部分よりも基端側の部分が、前記折り返された部分よりも先端側の部分と、前記当接部との間に介在するように折り返されていることを特徴とする付記４又は５記載の梱包具。
【００７２】
［付記８］
互いに同一の又は互いに異なる前記貫通孔を貫通する２つの前記貫通部を備え、
前記２つの前記貫通部は、前記突出部分が互いに接触するように前記当接部から突出する、
ことを特徴とする付記１乃至７のいずれか記載の梱包具。
【００７３】
［付記９］
前記２つの貫通部は、当該２つの貫通部の２つの支持部分が、基端側から先端側にかけて互いの側へ傾くように設けられている、
ことを特徴とする付記８記載の梱包具。
【００７４】
［付記１０］
前記当接部の前記当接面は、互いに交差する２つの面である第１の当接面及び第２の当接面を含み、
前記当接部の前記貫通孔は、前記第１の当接面と前記第２の当接面との境界部分に重ならないように設けられている、
ことを特徴とする付記１から８のいずれか記載の梱包具。
【００７５】
［付記１１］
付記１乃至１０のいずれか記載の梱包具と、
前記梱包具を収容する筐体と、
を備えることを特徴とする梱包箱。
【符号の説明】
【００７６】
１      梱包具
２      筐体
１０      当接部
２０      ベース部
２１      貫通部
２１ａ      突出部分
２１ｂ      支持部分
１００      梱包対象物
Ｆ１〜Ｆ２８      折り曲げ部
Ｈ１〜Ｈ１０      貫通孔
Ｓ１      当接面
Ｓ２      裏面
【図１】
0006699091.tif 000002
【図２】
0006699091.tif 000003
【図３Ａ】
0006699091.tif 000004
【図３Ｂ】
0006699091.tif 000005
【図３Ｃ】
0006699091.tif 000006
【図３Ｄ】
0006699091.tif 000007
【図３Ｅ】
0006699091.tif 000008
【図４】
0006699091.tif 000009
【図５】
0006699091.tif 000010
【図６】
0006699091.tif 000011
【図７】
0006699091.tif 000012
【図８】
0006699091.tif 000013
【図９】
0006699091.tif 000014
【図１０】
0006699091.tif 000015